(57)【特許請求の範囲】
【請求項１】
カ−トリッジ本体を取外した後、混合栓本体上に、開閉弁をそれぞれもつ略同一高さで対向した１対の第１、第２の分岐ジョィントを突設し且つカ−トリッジ本体をその上部で接合した分岐栓本体をもつシングルレバ−式湯水混合栓にあって、
前記分岐栓本体に、水道水および熱湯流入口、および、湯水混合流出口をそれぞれ軸方向に貫通し、これらの流入口にそれぞれ横孔を穿設し、これらの第１、第２の横孔に前記第１、第２の分岐ジョィントをそれぞれ連通することにより、該湯水混合栓の通常の操作をしながら、水道水および熱湯を同時に分岐できるようにしたシングルレバ−式湯水混合栓にして、
前記第１の横孔（１９）を、前記分岐栓本体（７）の軸方向略中央の外周に設けた第１の環状溝（２１）に開口し、該分岐栓本体（７）に厚肉のシリンダ−状ハブ（８）を回動自在に外嵌し、該ハブ（８）に穿設した第３の横孔（１９Ａ）を、前記第１の環状溝（２１）に連通すると共に前記第１の分岐ジョィント（１０）に接続し、
前記第２の横孔（２０）を、前記分岐栓本体（７）の外周に設けた第２の環状溝（２３）に開口し、該第２の環状溝（２３）を、前記ハブ（８）に設けた断面Ｌ字状の第４の横孔（２０Ａ）に連通し、該第４の横孔（２０Ａ）の該Ｌ字縦部を、前記第２の分岐ジョィント（１１）に接続して断面階段状に連通することにより、これらの第１、第２の分岐ジョィント（１０），（１１）を１８０°一体回転可能として、該分岐栓を使い勝手のよいものにした台付タイプの横向き分岐口をもつシングルレバ−式湯水混合栓。
【請求項２】
カ−トリッジ本体を取外した後、混合栓本体上に、開閉弁をそれぞれもつ略同一高さで対向した１対の第１、第２の分岐ジョィントを突設し且つカ−トリッジ本体をその上部で接合した分岐栓本体をもつシングルレバ−式湯水混合栓にあって、
前記分岐栓本体に、水道水流入口、熱湯流入口、および、湯水混合流出口をそれぞれ軸方向に貫通し、これらの水道水流入口と熱湯流入口とにそれぞれ横孔を穿設し、これらの第１、第２の横孔に前記第１、第２の分岐ジョィントをそれぞれ連通することにより、該湯水混合栓の通常の操作をしながら、水道水および熱湯を同時に分岐できるようにしたシングルレバ−式湯水混合栓にして、
前記第１の横孔（１９）を、前記分岐栓本体（７）の軸方向略中央の外周に設けた第１の環状溝（２１）に開口し、該分岐栓本体（７）に厚肉のシリンダ−状ハブ（８）を回動自在に外嵌し、該ハブ（８）に穿設した第３の横孔（１９Ａ）を、前記第１の環状溝（２１）に連通すると共に前記第１の分岐ジョィント（１０）に接続し、
前記第２の横孔（２０）を、前記分岐栓本体（７）の下方の外周に設けた第２の環状溝（２３）に開口し、該第２の環状溝（２３）を、前記ハブ（８）に設けた断面Ｌ字状の第４の横孔（２０Ａ）に連通し、該第４の横孔（２０Ａ）の該Ｌ字縦部を、前記第２の分岐ジョィント（１１）に接続して断面階段状に上げることにより、これらの第１、第２の分岐ジョィント（１０），（１１）を１８０°一体回転可能として、該分岐栓を使い勝手のよいものにした台付タイプの横向き分岐口をもつシングルレバ−式湯水混合栓。
【請求項３】
前記第２の分岐ジョィント（１１）に設けた前記開閉弁に、ワンタッチ式管継手を介して食器洗い乾燥機を接続して熱湯を自由に使用する請求項２に記載の台付タイプの横向き分岐口をもつシングルレバ−式湯水混合栓。
【発明の詳細な説明】
【０００１】
【発明の属する技術分野】
本発明は、横向きの分岐口を有する湯水混合栓に関し、殊に、既設の湯水混合栓をそのまま利用して横向きの分岐口（本明細書では、該分岐口を含めその取付構造を分岐栓という）を追加したシングルレバ−式湯水混合栓に関するものである。
【０００２】
【従来の技術】
最近、２枚のセラミックディスクを用いたシングルレバ−式湯水混合栓が広く普及されるようになった。
【０００３】
この湯水混合栓には有底円筒状のカ−トリッジ本体（カ−トリッジ方式とは内蔵物を容器ごと簡単に取換える方式をいう）が内蔵され、このカ−トリッジ本体の底板たる弁座板上に、固定ディスクと可動ディスクとが摺動自在に接合・載置しており、これらのディスク上に、可動ディスクと一体的で、かつ、下面に混合室をもつ作動ディスクが載置され、この作動ディスクに作動軸が係合し、この作動軸にシングルレバ−の基部が連結している。
【０００４】
そして、このカ−トリッジ本体は、長尺（約３０ｃｍ）のスパウトを取付けた混合栓本体に載置され、上方から化粧キャップでカバ−（被覆）している。
【０００５】
本発明者は、かかる湯水混合栓に分岐口を単に追加することに鋭意腐心した結果、シングルレバ−式湯水混合栓にはカ−トリッジ本体を内蔵するため、スパウトが取付けられた混合栓本体と、カ−トリッジ本体をカバ−する化粧キャップとが分離することに着目し、この混合栓本体と化粧キャップとの間に、分岐栓を別体として介在させることに想到したのである。
【０００６】
ところで、カ−トリッジ本体を混合栓本体に固定するには、カ−トリッジ本体を混合栓本体に載置した後、化粧キャップを混合栓本体に螺着して上方から押圧固定する方式と、カ−トリッジ本体の上面にフランジを周設し、このフランジに３本（複数）の長寸ボルトを上方から挿通し、この長寸ボルトの先端を混合栓本体に螺着してカ−トリッジ本体を固定する方式とが現在、行われている。
【０００７】
そこで、前者の方式における分岐栓の取付けについては、本出願人は実公平４−４４９４４号公報、特許第２６６０８２３号公報、特許第２８６６６２８号公報、特許第３０１７６９０号公報、特許第３０２６７６９号公報等で提案を行っている。
【０００８】
また、後者に類似の方式における分岐栓についても、本出願人は提案を行っている（特許第２５４６８９３号公報参照）。
【０００９】
そこで前者の方式における例えば、前掲の特許第３０２６７６９号公報に示された分岐栓の提案を述べる。
【００１０】
すなわち、図６において、この分岐栓１００Ａは混合栓本体と化粧キャップとの間に分岐栓本体１００を設け、この分岐栓本体１００にシリンダ−状ハブ１０１を外嵌し、このハブ１０１に横向き（本明細書では、セット後の使用時に左右水平状方向をいう）の分岐ジョィント１０２を螺着したものである。
【００１１】
この分岐栓本体１００には、水道水流入口１０３および熱湯流入口（不図示）を軸方向に貫通しており、これらの流入口（１０３）のいずれか一つに閉塞用スリ−ブ１０５を挿脱自在に挿入し、この閉塞用スリ−ブ１０５により、分岐栓本体１００に穿設し、かつ、分岐ジョィント１０２と連通する横孔１０６を閉塞するようにしている。
【００１２】
したがって、この閉塞用スリ−ブ１０５を水道水流入口１０３に挿入すれば、分岐ジョィント１０２は熱湯流入口と連通し、熱湯を食器洗い器へ供給することができる。
【００１３】
また、この閉塞用スリ−ブ１０５を熱湯流入口に挿入すれば、この分岐ジョィント１０２は水道水流入口１０３と連通し、浄水器等へ水道水を供給することができる。
【００１４】
そして、前記分岐栓本体１００には、前記流入口（１０３）の外、湯水混合流出口１０７が貫通していて、全体としてレンコン状に設けており、これらの上下貫通孔は既設のカ−トリッジ本体の底部の通水孔に合致する位置に穿設している。
【００１５】
これらの水道水流入口１０３や熱湯流入口にはそれぞれ前記横孔（１０６）を穿設していて、これらの横孔１０６は分岐栓本体１００の外周面に設けた環状溝１０８でそれぞれ開口している。
【００１６】
また、前記閉塞用スリ−ブ１０５はシ−トブッシュ１０９およびパッキン１１０によって抜止めしている。
【００１７】
また、シリンダ−状ハブ１０１には、カ−トリッジ本体を載置した前記分岐栓本体１００を密接内嵌している。
【００１８】
このハブ１０１の上方外周にはオネジ１１１を刻設し、これに化粧キャップを螺着して前記カ−トリッジ本体を押圧カバ−している。
【００１９】
このハブ１０１の上下中間外周部には厚肉部１１２を形成し、この厚肉部１１２に１つの連通孔１１３を穿設し、この連通孔１１３に１つの分岐ジョィント１０２を螺着している。
【００２０】
このハブ１０１の下方外周の溝にはステンレス鋼線製の取付リング１１４を嵌合し、これを取付用袋ナット１１５の上部内周に設けた溝に亘って嵌合している。
【００２１】
したがって、この取付用袋ナット１１５に対しハブ１０１は軽回動自在に抜止め状に結合している。
【００２２】
この取付用袋ナット１１５の内周に刻設したメネジ１１６は、混合栓本体の筒状立上り部のオネジと螺合するようになっている。
【００２３】
なお、前記分岐ジョィント１０２は開閉コックを介して食器洗い器または浄水器に接続する。
【００２４】
【発明が解決しようとする課題】
ところが、最近の食器洗い乾燥機では、常に７５℃以上の熱湯を用いて食器の洗浄と共に殺菌することが要望され、ひいては、洗浄や乾燥の仕上り時間を短縮する、という特長が発揮されるようになった。
【００２５】
したがって、前記分岐栓１００Ａにおける、水道水または熱湯のいずれか一つを分岐する分岐ジョィント１０２では、水道水による食器洗い器の時代には水道水通路に更に分岐栓を付加して浄水器と食器洗い器とに水道水が同時に使用できるので、支障はなかったが、最近では、前記のように熱湯による殺菌を行うので不便になった。
【００２６】
つまり、前記分岐栓１００Ａでは、現在熱望されている、浄水器のための水道水と、食器洗い乾燥機のための熱湯との両者が同時に分岐できない。
【００２７】
また、閉塞用スリ−ブ１０５の入れ替え等による分解組立によって、水道水または熱湯を分岐させる作業は、エンドユ−ザにとって困難で、水漏れを誘発するおそれがある。
【００２８】
そこで本発明者は、水道水と熱湯のいずれも、セット後、同時に分岐できるようにし、かつ、全体の高さを可及的に低く抑えるように鋭意腐心したところ、前記分岐ジョィント１０２には常にセラミック製等の開閉コックを一体化して使用していることから、水道水用の分岐ジョィントと熱湯用の分岐ジョィントのうち、いずれか一方を使用しないときはこの開閉コックを単に閉塞しておけばよいこと、および、２つの分岐ジョィントを設けると、一方の分岐ジョィントを分岐栓本体を中心に回動させようとしても、他方の分岐ジョィントに接続したホ−スが抵抗し、結局回動自在のハブ１０１を設けていても、セット後は、２つの分岐ジョィントが互に牽制し、回動自在の機能が失われること、等に鑑み、本発明が案出されたのである。
【００２９】
【課題を解決するための手段】
すなわち、本発明の要旨とするところは、１）カ−トリッジ本体を取外した後、混合栓本体上に、開閉弁をそれぞれもつ略同一高さで対向した１対の第１、第２の分岐ジョィントを突設し且つカ−トリッジ本体をその上部で接合した分岐栓本体をもつシングルレバ−式湯水混合栓にあって、前記分岐栓本体に、水道水および熱湯流入口、および、湯水混合流出口をそれぞれ軸方向に貫通し、これらの流入口にそれぞれ横孔を穿設し、これらの第１、第２の横孔に前記第１、第２の分岐ジョィントをそれぞれ連通することにより、該湯水混合栓の通常の操作をしながら、水道水および熱湯を同時に分岐できるようにしたシングルレバ−式湯水混合栓にして、前記第１の横孔（１９）を、前記分岐栓本体（７）の軸方向略中央の外周に設けた第１の環状溝（２１）に開口し、該分岐栓本体（７）に厚肉のシリンダ−状ハブ（８）を回動自在に外嵌し、該ハブ（８）に穿設した第３の横孔（１９Ａ）を、前記第１の環状溝（２１）に連通すると共に前記第１の分岐ジョィント（１０）に接続し、前記第２の横孔（２０）を、前記分岐栓本体（７）の外周に設けた第２の環状溝（２３）に開口し、該第２の環状溝（２３）を、前記ハブ（８）に設けた断面Ｌ字状の第４の横孔（２０Ａ）に連通し、該第４の横孔（２０Ａ）の該Ｌ字縦部を、前記第２の分岐ジョィント（１１）に接続して断面階段状に連通することにより、これらの第１、第２の分岐ジョィント（１０），（１１）を１８０°一体回転可能として、該分岐栓を使い勝手のよいものにした台付タイプの横向き分岐口をもつシングルレバ−式湯水混合栓にあり、また、２）カ−トリッジ本体を取外した後、混合栓本体上に、開閉弁をそれぞれもつ略同一高さで対向した１対の第１、第２の分岐ジョィントを突設し且つカ−トリッジ本体をその上部で接合した分岐栓本体をもつシングルレバ−式湯水混合栓にあって、前記分岐栓本体に、水道水流入口、熱湯流入口、および、湯水混合流出口をそれぞれ軸方向に貫通し、これらの水道水流入口と熱湯流入口とにそれぞれ横孔を穿設し、これらの第１、第２の横孔に前記第１、第２の分岐ジョィントをそれぞれ連通することにより、該湯水混合栓の通常の操作をしながら、水道水および熱湯を同時に分岐できるようにしたシングルレバ−式湯水混合栓にして、前記第１の横孔（１９）を、前記分岐栓本体（７）の軸方向略中央の外周に設けた第１の環状溝（２１）に開口し、該分岐栓本体（７）に厚肉のシリンダ−状ハブ（８）を回動自在に外嵌し、該ハブ（８）に穿設した第３の横孔（１９Ａ）を、前記第１の環状溝（２１）に連通すると共に前記第１の分岐ジョィント（１０）に接続し、前記第２の横孔（２０）を、前記分岐栓本体（７）の下方の外周に設けた第２の環状溝（２３）に開口し、該第２の環状溝（２３）を、前記ハブ（８）に設けた断面Ｌ字状の第４の横孔（２０Ａ）に連通し、該第４の横孔（２０Ａ）の該Ｌ字縦部を、前記第２の分岐ジョィント（１１）に接続して断面階段状に上げることにより、これらの第１、第２の分岐ジョィント（１０），（１１）を１８０°一体回転可能として、該分岐栓を使い勝手のよいものにした台付タイプの横向き分岐口をもつシングルレバ−式湯水混合栓にあり、また、前記第２の��岐ジョィント（１１）に設けた前記開閉弁に、ワンタッチ式管継手を介して食器洗い乾燥機を接続して熱湯を自由に使用する請求項２に記載の台付タイプの横向き分岐口をもつシングルレバ−式湯水混合栓にある。
【００３０】
【発明の実施の形態】
本発明を添付図面に示す実施例により詳細に述べる。
図１は本発明の第１の実施例を示すもので、図１（Ａ）は図１（Ｂ）のＡ矢視断面図、図１（Ｂ）は縦断面図、図２は図１（Ｂ）のＢ矢視断面図、図３は第２の実施例を示すもので、図３（Ａ）は図３（Ｂ）の平面図、図３（Ｂ）は縦断面図、図４は第３の実施例を示すもので、図４（Ａ）は図４（Ｂ）のＡ矢視要部断面図、図４（Ｂ）は縦断面図、図５は本発明の要部使用例の説明用斜視図であって、図６で示す従来例と同一部分は同一用語を用い、その説明を簡略ないし省略する。
【００３１】
先ず、本発明の第１、第２および第３の実施例の概要を述べる。
【００３２】
本実施例の壁面前のシンク等に取付ける台付タイプ（デッキタイプともいう）のシングルレバ−式湯水混合栓１は、図５において、有底円筒状のカ−トリッジ本体に、通水孔を有する固定セラミックディスクと通水孔を有する可動セラミックディスクとを摺動自在に接合して収納し、この可動セラミックディスク上で一体化し且つ下面に混合室を形成した作動ディスクに、作動軸を介してシングルレバ−２の基部を連結し、シングルレバ−２により吐水・混合・止水の操作を行い、この吐水を吐水口３が斜め上方に位置した長尺のスパウト４により行うものであって、この湯水混合栓１の混合栓本体５と化粧キャップ６とを分離して、前記カ−トリッジ本体を混合栓本体５から取外し、この混合栓本体５上に、新または旧のカ−トリッジ本体を載置した分岐栓本体７（図１参照）を取付けるものである。
【００３３】
この分岐栓本体７には、シリンダ−状ハブ８が回動自在に外嵌し、しかも、このシリンダ−状ハブ８の下方外周には回動自在の取付用袋ナット９が設けられているので、この分岐栓本体７を混合栓本体５に載置して固定できるのである。
【００３４】
したがって、螺合を本来の機能とする取付用ナット９が回動自在に構成されているので、既設のシングルレバ−式湯水混合栓１へのアタッチメントとして追加工事（ネジ回転作業）を楽にすることができる。
【００３５】
また、このシリンダ−状ハブ８には、２つの第１および第２の分岐ジョィント１０，１１が約１８０°間隔で互に反対方向の横向きに設けられている。
【００３６】
これらの分岐ジョィント１０，１１には（図５では１つしか図示しない）、ツマミハンドル１２をもつセラミック製分岐コック（実開平６−２０５５７号公報参照）１３または開閉弁を直接又は間接に接続し、このセラミック製分岐コック１３にワンタッチ式管継手（いわゆるカチット式ジョィント）１４を直接又は間接に接続し、このワンタッチ式管継手１４に、浄水器または食器洗い乾燥機（いずれも不図示）等に接続するホ−ス１５を直接又は間接に接続している。
【００３７】
したがって、この台付タイプのシングルレバ−式湯水混合栓１によると、湯・水の吐水操作は通常の湯水混合栓１と同様に行うことは勿論、カ−トリッジ本体へ導く水道水や熱湯を事前に同時に横取りして、分岐コック１３の開閉操作によりホ−ス１５から水処理器等へも自由に導くことができ、それ故、既設のシングルレバ−式湯水混合栓１を、その取付位置変更や部品の交換や新規な壁や流し台の孔明け工事による配管等をすることなく、そのまま利用した追加工事でありながら、使用目的の多様化を図ることができる。
【００３８】
ここにおいて、本発明の第１の実施例の分岐栓１Ａは、次のように構成して水道水と熱湯とを自由に分岐している。
【００３９】
図１（Ａ）、（Ｂ）および図２において、この分岐栓１Ａは、混合栓本体５と化粧キャップ６との間に（図５参照）、円柱状の分岐栓本体７を設け、この分岐栓本体７に回動自在になった厚肉の（従来の外径５１ｍｍφに対し約６３ｍｍφ）シリンダ−状ハブ８を外嵌し、このハブ８の軸方向略中央部に、横向きで約１８０°間隔で対向した１対の第１および第２の分岐ジョィント１０，１１を螺入したものである。
【００４０】
また、この分岐栓本体７には、水道管に連通した水道水流入口１６、湯沸器に連通した熱湯流入口１７およびカ−トリッジ本体に連通した湯水混合流出口１８を軸方向に貫通して設けており、また、これらの水道水流入口１６および熱湯流入口１７に、前記分岐ジョィント１０，１１とそれぞれ連通する第１、第２の横孔１９，２０をそれぞれ設けている。
【００４１】
これらの水道水流入口１６、熱湯流入口１７および湯水混合流出口１８は既設または新設のカ−トリッジ本体の通水孔に合致する位置に穿設している。
【００４２】
ここで、本実施例の分岐栓１Ａでは、前記第１、第２の横孔１９，２０と前記第１、第２の分岐ジョィント１０，１１とをそれぞれ次のように連通している。
【００４３】
すなわち、水道水流入口１６と連通する第１の横孔１９は、分岐栓本体７の軸方向略中央部において水平方向に穿設され、分岐栓本体７の軸方向略中央部の外周に設けた第１の環状溝２１で開口している。勿論、この第１の環状溝２１の上下にはハブ８の内面と分岐栓本体７の外面とをシ−ルをするためのＯリング２２，２２が嵌着している。
【００４４】
この第１の環状溝２１は、厚肉のハブ８に穿設した第３の横孔（連通孔）１９Ａを介して、第１の分岐ジョィント１０に連通している。
【００４５】
また、熱湯流入口１７と連通する第２の横孔２０は、前記下方のＯリング２２の更に下方において、水平方向に穿設され、分岐栓本体７の下方の外周に設けた第２の環状溝２３で開口している。勿論、この第２の環状溝２３の下方にはシ−ルするためのＯリング２２が嵌着している。
【００４６】
この第２の環状溝２３は、前記ハブ８に下側から螺合して接合した第２のハブ８Ａによって形成した断面Ｌ字状の第４の横孔（連通孔）２０Ａと連通し、この第４の横孔２０ＡのＬ字縦部は、前記ハブ８の厚肉部下面に穿設した円弧状溝２５と連通し、これが第２の分岐ジョィント１１に連通している。
【００４７】
したがって、この熱湯流入口１７の第２の横孔２０は、断面階段状に上がり、前記第１の分岐ジョィント１０と同一高さにある第２の分岐ジョィント１１と連通することになる。
【００４８】
したがって、分岐栓本体７の軸方向長さを長寸化せず、かつ、第１、第２の分岐ジョィント１０，１１を同一高さにして利便性を発揮している。
【００４９】
そして、本実施例の分岐栓１Ａのハブは厚肉のハブ８と第２のハブ８Ａとの二重ハブ構造にし、この第２ハブ８Ａに連通孔を断面Ｌ字状になるよう容易な切削加工により形成している。
【００５０】
したがって、第１および第２の分岐ジョィント１０，１１は、全体を低くしながら同一高さにでき、浄水器等の接続が容易にできるばかりか、安定したデザインにすることができる。
【００５１】
以上のように構成した本実施例の分岐栓１Ａでは、第１および第２の分岐ジョィント１０および１１は分岐栓本体７を中心に個別でなく、一体になって３６０°回動でき、浄水器や食器洗い乾燥機の設置位置に応じて変更できるもので、きわめて使い勝手のよいものになる。
【００５２】
そして、これらの第１、第２の分岐ジョィント１０および１１には接続用のホ−ス１５等を接続するので、これらを接続すれば、第１、第２の分岐ジョィント１０，１１を別個に回動させる必要がなく、きわめて合理的となる。
【００５３】
なお、この分岐栓１Ａでは以上の構造以外は、従来例のものと同様になっている。
【００５４】
すなわち、ハブ８の上方外周は縮径されてオネジ２６が刻設され、化粧キャップ６が螺着するようになっている。
【００５５】
また、第２のハブ８Ａの下方の外周は縮径されて溝を形成し、この溝にはステンレス鋼線製の取付リング２７を嵌合し、この取付リング２７を取付用袋ナット９の上部内周に設けた溝に亘って嵌合している。
【００５６】
したがって、この取付用袋ナット９に対しハブ８（および第２のハブ８Ａ）は軽回動自在に抜止め状に結合している。
【００５７】
この取付用袋ナット９の内周に刻設したメネジ２８は、混合栓本体５の筒状立上り部のオネジと螺合するようになっている。
【００５８】
また、これらの第１および第２の分岐ジョィント１０，１１は同一構造になっていて、共にネジ込み式管継手、すなわち、ユニオン継手の一種で構成し、ユニオンつば（ブッシュともいう）２９と、このユニオンつば２９に回転自在に外嵌し、且つ抜止めした外面６角状のユニオンナット３０と、から構成している。
【００５９】
このユニオンつば２９には、その内外周面にメネジとオネジを刻設し、これらによって第１、第２の横孔１９，２０側に螺入すると共に、分岐コック１３の上流側接続螺部が螺着できるようになっている。
【００６０】
なお、図１中、３１は混合栓本体５と位置決めするノックピン、３２はカ−トリッジ本体と位置決めするノックピン孔を示す。
【００６１】
以上のように構成した本実施例の分岐栓１Ａを、シングルレバ−式湯水混合栓１に取付けるには、混合栓本体５と化粧キャップ６とを分離し、カ−トリッジ本体をのせて混合栓本体５上に載置し、今迄化粧キャップ６が螺合していた混合栓本体５のオネジに取付用袋ナット９のメネジ２８を螺合して取付ける。
【００６２】
次いで、ハブ８，８Ａを回動して食器洗い乾燥機や浄水器等の設置場所に合せた後、両側のワンタッチ式管継手１４を介してホ−ス１５を各接続し、これらのホ−ス１５に食器洗い乾燥機や浄水器を接続する。なお、例えば冬期で浄水器を使わない場合には、分岐コック１３を閉にしてホ−ス１５を外しておけばよい。
【００６３】
そして、水道水と熱湯を自由・同時に使う場合は、分岐コック１３を開にすれば、シングルレバ−式湯水混合栓１の熱湯や水道水を横取りして使用することができ、ユ−ザの熱望に沿うことができる。そのときも、この湯水混合栓１は通常通り使用することができる。
【００６４】
次に、本発明の第２の実施例の分岐栓１Ｂについて述べる。この分岐栓１Ｂが前記第１の実施例の分岐栓１Ａと異なる点は、既存のシングルレバ−式湯水混合栓１における混合栓本体５とカ−トリッジ本体との取付方法が相違するので、その相違点のみを述べ、共通点は同一符号で図示するので、そのまま補充することができる。
【００６５】
図３において、分岐栓本体７には２本の長寸の頭付ボルト３５，３５を貫通して設けているので、先ず、この分岐栓本体７にカ−トリッジ本体を載置して、これらの頭付ボルト３５，３５で分岐栓本体７とカ−トリッジ本体とを一体化して混合栓本体５に載置し、これらの頭付ボルト３５の先端側を混合栓本体５に螺入して固定する。次いで、この分岐栓本体７に化粧キャップを単に外嵌して被覆する。
【００６６】
したがって、この分岐栓１Ｂでは、前記第１の実施例の分岐栓１Ａの構造の取付用ナット９やハブ８の縮径部のオネジ２６を必要としない。
【００６７】
次に、本発明の第３の実施例の分岐栓１Ｃについて述べる。図４において、この第３の実施例の分岐栓１Ｃは、前記第１や第２の実施例の分岐栓１Ａ，１Ｂと違い、ハブ８Ｃは図６で示す従来例と同様、１つのシリンダ−状で構成し、したがって、このハブ８Ｃの外径を従来例と同様、５１ｍｍφとして細身にし、かつ、簡素化している。その反面、このハブ８Ｃを分岐栓本体７Ｃに一体化し、斜めＯリング（シ−ルリング）３６を付加して、２つの第１および第２の分岐ジョィント１０，１１間のシ−ルをしている。
【００６８】
すなわち、これらの２つの第１および第２の分岐ジョィント１０，１１は略同一高さに取付けられており、水道水流入口１６の横孔１９Ｃは、この高さより若干下方で穿設し、この横孔１９Ｃは分岐栓本体７Ｃの外面に切欠いた溝３７で開口し、第１の分岐ジョィント１０と連通している。
【００６９】
また、熱湯流入口１７の横孔２０Ｃは、前記高さより若干上方で穿設し、この横孔２０は、分岐栓本体７Ｃの外面で前記溝３７に対向した位置で切欠いた溝３８で開口して、第２の分岐ジョィント１１と連通している。
【００７０】
したがって、これらの２つの溝３７，３８は、水平断面における横方向（左右方向）中心線を中心とする半月状の対向した加工容易な切欠きであって、これらの溝３７，３８を隔絶シ−ルするため、前記斜めＯリング３６を、ハブ８Ｃの外面に設けた斜め溝に嵌着している。
【００７１】
なお、この第３の実施例の分岐栓１Ｃにおける他の構造、すなわち、取付用袋ナット９やハブ８Ｃのオネジ２６は第１の実施例の分岐栓１Ａと同様につき、説明を省略すると共に作用等もそのまま補充することができる。
【００７２】
【発明の効果】
本発明によると、
（１）シングルレバ−式湯水混合栓に追加した分岐栓でありながら、２つの分岐ジョィントにより、該湯水混合栓の吐水・混合・止水と係わりなく、水道水および熱湯を単なる開閉弁の操作で、同時に自由に事前に横取りして使用することができ、きわめて至便となる。特に、食器洗い乾燥機に熱湯が自由に使用でき、殺菌と共に、操作時間を短縮できるのは勿論、
【００７３】
（２）既設のシリンダ−レバ−式湯水混合栓に、本発明の分岐栓をセットする作業において、分岐栓を分岐口用ハブ（兼取付用シリンダ−）と分岐栓本体との別体で構成しているので、既設の湯水混合栓本体と化粧キャップとの螺着作業と同じ要領の操作でこのセット作業が容易に行うことができるばかりでなく、浄水器や食器洗い乾燥機の設置位置に最短距離で接続でき、つまり、使い勝手のよいものにすることができる。
【００７４】
（３）略同一高さの左右１対の分岐ジョィントを突設したので、安定した好ましいデザインとするばかりか、台付タイプのシングルレバ−式湯水混合栓における壁面等に平行して且つ台上を這わすようにしたホ−ス等を接続でき、つまり、デッドスペ−スを有効活用することができるのは勿論、
【００７５】
（４）熱湯の熱を好まない浄水器（活性炭等の露材）と食器洗い乾燥機とは１８０°離して設置することができるのも勿論、
【００７６】
（５）分岐栓の軸方向長さを短くできるばかりか、その外径も細身となって、シングルレバ−式湯水混合栓に追加した分岐栓に違和感を与えない。
【００７７】
（６）第１、第２の分岐ジョィントを略同一高さで３６０°一体回転させることができ、使い勝手のよいものにすることができる。
【図面の簡単な説明】
【図１】本発明の第１の実施例である。
【図２】図１の断面図である。
【図３】本発明の第２の実施例である。
【図４】本発明の第３の実施例である。
【図５】本発明の説明用斜視図である。
【図６】従来例である。
【符号の説明】
１…シングルレバ−式湯水混合栓、１Ａ，１Ｂ，１Ｃ…分岐栓、７…分岐栓本体、８…ハブ、１０，１１…分岐ジョィント、１３…分岐コック、１６…水道水流入口、１７…熱湯流入口、１８…温水混合流出口、１９，２０…横孔
【図１】
0003594913.tif 000002
【図２】
0003594913.tif 000003
【図３】
0003594913.tif 000004
【図４】
0003594913.tif 000005
【図５】
0003594913.tif 000006
【図６】
0003594913.tif 000007